(57)【要約】  繊維材料の洗濯及び洗浄方法が開示され、この方法ではＡ）一種または二種以上の界面活性剤及び一種または二種以上の酵素を含むが、漂白剤は含まない液状組成物を、水並びに洗濯及び洗浄すべき繊維材料を含む洗濯液に加え、及びＢ）洗濯液中に液状組成物を添加してから１５〜３０分後に、一種または二種以上の漂白剤を洗濯液中に計量添加する。この方法は、特に、有利な洗濯及び洗浄性能を特徴とする。【特許請求の範囲】
【請求項１】
繊維材料の洗濯及び洗浄方法であって、
Ａ）一種または二種以上の界面活性剤及び一種または二種以上の酵素を含むが、漂白剤は含まない液状組成物を、水並びに洗濯及び洗浄すべき繊維材料を含む洗濯液に加え、及び
Ｂ）洗濯液中に液状組成物を添加してから１５〜３０分後に、一種または二種以上の漂白剤を洗濯液中に計量添加する、
ことを特徴とする、前記方法。
【請求項２】
前記液状組成物が一種または二種以上の第二パラフィンスルホネートを含むことを特徴とする、請求項１に記載の方法。
【請求項３】
前記液状組成物が、ラウリン酸、ミリスチン酸、パルミチン酸、ステアリン酸、ベヘン酸、水素化エルカ酸、オレイン酸、リノール酸、リノレン酸及びこれらの混合物の塩、並びに天然の油脂からの脂肪酸もしくは脂肪酸混合物の塩、好ましくはココナツ油、ダイズ油、ナタネ油、ヒマワリ油、キャノーラ油、パーム脂肪油、パーム核油、オリーブ油及びタロー脂肪からの脂肪酸または脂肪酸混合物の塩からなる群から選択される一種または二種以上のアニオン性界面活性剤を含むことを特徴とする、請求項１または２に記載の方法。
【請求項４】
前記液状組成物が、Ｃ１０〜Ｃ２０アルコールと１モルのアルコール当たり２〜１８モルのエチレンオキシドとの縮合生成物から選択される一種または二種以上のノニオン性界面活性剤を含むことを特徴とする、請求項１〜３のいずれか一つに記載の方法。
【請求項５】
前記液状組成物が、アルカノールアミン及びそれの塩を含まないことを特徴とする、請求項１〜４のいずれか一つに記載の方法。
【請求項６】
前記液状組成物が、一種または二種以上のアニオン性界面活性剤及び一種または二種以上のノニオン性界面活性剤を含むことを特徴とする、請求項１〜５のいずれか一つに記載の方法。
【請求項７】
前記液状組成物中の一種または二種以上のアニオン性界面活性剤及び一種または二種以上のノニオン性界面活性剤の一緒の総濃度が、液状組成物の総重量を基準にして１０．０重量％超であることを特徴とする、請求項６に記載の方法。
【請求項８】
前記液状組成物中の一種または二種以上のアニオン性界面活性剤及び一種または二種以上のノニオン性界面活性剤の一緒の総濃度が、液状組成物の総重量を基準にして５０重量％超であることを特徴とする、請求項７に記載の方法。
【請求項９】
前記液状組成物の一種または二種以上のアニオン性界面活性剤及び前記液状組成物の一種または二種以上のノニオン性界面活性剤が、液状組成物中で、１０：１〜１：１０のアニオン性界面活性剤：ノニオン性界面活性剤の重量比で存在することを特徴とする、請求項６〜８のいずれか一つに記載の方法。
【請求項１０】
前記液状組成物が、それの総重量を基準にして少なくとも１０重量％、特に１０〜５０重量％、非常に特に好ましくは２０〜４０重量％のアニオン性界面活性剤を含むことを特徴とする、請求項１〜９のいずれか一つに記載の方法。
【請求項１１】
前記液状組成物が、それの総重量を基準にして、少なくとも１〜３０重量％、特に好ましくは５〜２０重量％のノニオン性界面活性剤を含むことを特徴とする、請求項１〜１０のいずれか一つに記載の方法。
【請求項１２】
前記液状組成物がアニオン性界面活性剤及びノニオン性界面活性剤を含み、この際、アニオン性界面活性剤の含有率はノニオン性界面活性剤の含有率よりも高く、ここでアニオン性界面活性剤の含有率は非常に特に好ましくは２０〜４０重量％であり、及びノニオン性界面活性剤の含有率は非常に特に好ましくは５〜２０重量％であり、この際、重量の値は、液状組成物の総重量を基準とすることを特徴とする、請求項１〜１１のいずれか一つに記載の方法。
【請求項１３】
前記液状組成物が、プロテアーゼ、アミラーゼ、マンナーゼ、リパーゼ、エンドラーゼ、ペクチナーゼ、セルラーゼ、プルリナーゼ、クチナーゼ及びパーオキシダーゼからなる群から選択される一種または二種以上の酵素を含むことを特徴とする、請求項１〜１２のいずれか一つに記載の方法。
【請求項１４】
前記一種または二種以上の漂白剤が、過ホウ酸ナトリウム（一水和物及び四水和物）及び過炭酸ナトリウムからなる群から選択されることを特徴とする、請求項１〜１３のいずれか一つに記載の方法。
【請求項１５】
前記漂白剤が、Ｎ，Ｎ−フタロイルアミノペルオキシカプロイル酸であることを特徴とする、請求項１〜１４のいずれか一つに記載の方法。
【請求項１６】
一種または二種以上の漂白活性化剤の存在下に行われることを特徴とする、請求項１〜１５の一つまたはそれ以上に記載の方法。
【請求項１７】
前記一種または二種以上の漂白活性化剤が前記液状組成物中に含まれることを特徴とする、請求項１６に記載の方法。
【請求項１８】
前記一種または二種以上の漂白活性化剤が、前記一種または二種以上の漂白剤と一緒に洗濯液中に計量添加されることを特徴とする、請求項１６に記載の方法。
【請求項１９】
前記一種または二種以上の漂白活性化剤が、テトラアセチルエチレンジアミン、デカノイルオキシ安息香酸、ｎ−ノナノイルオキシベンゼンスルホネート及びｎ−ラウロイルオキシベンゼンスルホネートからなる群から選択されることを特徴とする、請求項１６〜１８のいずれか一つに記載の方法。
【請求項２０】
前記一種または二種以上の漂白活性化剤が、一種または二種以上の漂白剤と一種または二種以上の漂白活性化剤との重量比が２５：１〜１：１、好ましくは１０：１〜１．５：１となるような量で使用されることを特徴とする、請求項１６〜１９のいずれか一つに記載の方法。
【発明の詳細な説明】
【技術分野】
【０００１】
本発明は、繊維材料の洗濯及び洗浄方法であって、ここで、洗濯及び洗浄プロセスにおいて、先ず、一種または二種以上の界面活性剤及び一種または二種以上の酵素を含むが、漂白剤を含まない液状組成物、すなわち液状洗濯洗剤を使用し、そして時間を遅らせてから初めて、一種または二種以上の漂白剤を使用する、洗濯及び洗浄方法に関する。
【背景技術】
【０００２】
液状洗濯洗剤は市場において非常に人気が高い。それというのも、これらは簡単にかつ埃を立てずに計量添加でき、洗濯活性成分を洗濯時に素早く放出し、加えて洗濯物上に残渣を残さないからである。
【０００３】
しかし、従来技術からの液体洗濯洗剤の大きな欠点のひとつは、しばしば、漂白剤系とのそれらの低い相溶性、及び特に酵素に敏感で漂白可能な汚れの場合に、それの弱い洗濯及び洗浄性能である。
【先行技術文献】
【特許文献】
【０００４】
【特許文献１】ＷＯ０１／６０９６６Ａ１
【特許文献２】ＷＯ０２／０８３８０Ａ１
【特許文献３】ＥＰ２０１４７５６Ａ１
【特許文献４】ＷＯ２０１１／１５９５１０Ａ１
【特許文献５】ＵＳ４，６６４，８３９
【特許文献６】ＥＰ−Ａ−０３８４０７０
【特許文献７】ＵＳ３，１２８，２８７
【特許文献８】ＵＳ３，６３５，８３０
【特許文献９】ＵＳ４，６６３，０７１
【特許文献１０】ＵＳ４，５６６，９８４
【特許文献１１】ＵＳ３，１５９，５８１
【特許文献１２】ＵＳ３，２１３，０３０
【特許文献１３】ＵＳ３，４２２，０２１
【特許文献１４】ＵＳ３，４００，１４８
【特許文献１５】ＵＳ３，４２２，１３７
【特許文献１６】ＥＰ０４５８３９７
【特許文献１７】ＥＰ０４５８３９８
【特許文献１８】ＥＰ０５４９２７２
【特許文献１９】ＷＯ９６／０６１５４
【特許文献２０】ＷＯ９６／０６１５７
【特許文献２１】ＷＯ２００６／１２５５１７
【特許文献２２】ＥＰ１４４５３０５
【特許文献２３】ＥＰ１５２０９１０
【特許文献２４】ＥＰ１５５７４５７
【特許文献２５】ＷＯ２０１１／０９５３０８
【発明の概要】
【発明が解決しようとする課題】
【０００５】
それ故、液状洗剤を使用して繊維材料を洗濯及び洗浄する方法であって、従来技術の欠点を回避するかまたは少なくとも低減し、及び特に、有利な洗濯及び洗浄性能を特色とする方法を提供することである。
【課題を解決するための手段】
【０００６】
上記の方法は、繊維材料の洗濯及び洗浄方法であって、
Ａ）一種または二種以上の界面活性剤及び一種または二種以上の酵素を含むが、漂白剤は含まない液状組成物を、水並びに洗濯及び洗浄すべき繊維材料を含む洗濯液に加え、及び
Ｂ）洗濯液中に液状組成物を添加して１５〜３０分後に、一種または二種以上の漂白剤を洗濯液中に計量添加する、
方法によって解決されることが図らずしも見出された。
【０００７】
それ故、本発明の対象は、
Ａ）一種または二種以上の界面活性剤及び一種または二種以上の酵素を含むが、漂白剤は含まない液状組成物を、水並びに洗濯及び洗浄すべき繊維材料を含む洗濯液に加え、及び
Ｂ）洗濯液中に液状組成物を添加して１５〜３０分後に、一種または二種以上の漂白剤を洗濯液中に計量添加する、
ことを特徴とする前記方法である。
【発明の効果】
【０００８】
本発明の方法を使用した場合、特に酵素に敏感で漂白可能な汚れに対して、有利な洗濯及び洗浄性能が達成される。本発明方法の洗濯及び洗浄性能は、一方では漂白剤、他方では界面活性剤及び酵素、好ましくは酵素が同時に使用される方法の場合よりもかなり高い。
【発明を実施するための形態】
【０００９】
ＷＯ０１／６０９６６Ａ１（特許文献１）は、水溶性パウチ中の組成物を記載しており、この際、このパウチは少なくとも二つの区画を含み、そして各区画は組成物の他の成分を含み、ここで第一の区画は第一の成分を含み、ここで第一の成分は液状マトリックス及び過酸源を含む。上記組成物は洗濯プロセスに使用される。
【００１０】
ＷＯ０２／０８３８０Ａ１（特許文献２）は、水溶性材料でできた第一のパウチを含む物品を開示し、この物品は、その内部に、ａ）第一の固形または液状組成物、及びｂ）水溶性材料でできた第二のパウチを含み、この第二のパウチは、その中に第二の固形または液状組成物を含む。前記の物品は、例えば、繊維材料洗浄用組成物または繊維材料ケア用組成物を含むことができる。
【００１１】
ＥＰ２０１４７５６Ａ１（特許文献３）は、水溶性フィルムでできた洗濯洗剤用途のためのパウチを記載しており、このパウチは、少なくとも二つの区画を含み、この際、第一の区画は、漂白活性化剤を含む液状成分を含み、第二の区画は、過酸化物源を含む固形成分を含む。
【００１２】
ＷＯ２０１１／１５９５１０Ａ１（特許文献４）は多区画型パウチを開示しており、このパウチは第一区画及び第二区画を含み、この際、第一区画は固形組成物を含み、そしてこの固形組成物は、酸素漂白源、漂白活性化剤及びポリカルボキシレートポリマーを含み、第二区画は液状組成物を含み、そしてこの液状組成物は、低分子量の溶媒を含む。上記の固形及び／または液状組成物は、任意選択的に、洗濯洗剤組成物中に通常含まれる他の成分も含むことができる。
【００１３】
「液状」の組成物としては、本発明の枠内では、全ての液状のもしくは流動性の提供形態が意味される。本発明の意味において液状または流動性とは、注ぐことが可能で、５〜６０，０００ｍＰａｓの粘度を有する組成物のことである。粘度は、通常の標準的方法（例えば、ブルックフィールド粘度計ＬＶＴ−ＩＩ、２０回転／分及び２０℃）を用いて測定でき、この際、５〜＜１０００ｍＰａｓの粘度範囲にはスピンドル２が、１０００〜＜５０００ｍＰａｓの粘度範囲にはスピンドル３が、５０００〜＜１００００ｍＰａｓの粘度範囲にはスピンドル４が、そして１００００〜６００００ｍＰａｓの粘度範囲にはスピンドル７が使用される。
【００１４】
好ましくは、上記液状組成物は、１００〜２００００ｍＰａｓの粘度、特に好ましくは３００〜１００００ｍＰａｓの粘度、とりわけ好ましくは４００〜５０００ｍＰａｓの粘度を有する。
【００１５】
上記液状組成物は、ゲル状でもペースト状でもあることができ、これらは、均一な溶液または懸濁液として存在でき、いわゆるパウチとして提供できまたは他の慣用の提供形態で調合することができる。
【００１６】
好ましくは、上記液状組成物は、スルホネート、スルフェート、カルボキシレート及びホスフェートの部類の界面活性剤から選択される一種または二種以上のアニオン性界面活性剤を含み、それらの対イオンは、ナトリウム、カリウム、カルシウム、マグネシウム、ＮＨ４＋及び第四アンモニウムイオン［ＨＮＲ１Ｒ２Ｒ３］＋（式中、Ｒ１、Ｒ２及びＲ３は、互いに独立して、水素、炭素原子数１〜２２の線状もしくは分枝状アルキル基、炭素原子数２〜２２の線状もしくは分枝状のモノ不飽和もしくは多不飽和のアルケニル基、炭素原子数２〜１０の線状モノヒドロキシアルキル基、好ましくはモノヒドロキシエチル基もしくはモノヒドロキシプロピル基、並びに炭素原子数３〜１０の線状もしくは分枝状ジヒドロキシアルキル基であることができる）のカチオンからなる群から選択される。
【００１７】
中でも好ましくは、上記液状組成物は、一種または二種以上のアニオン性界面活性剤を含み、そして液状組成物の一種または二種以上のアニオン性界面活性剤は、スルホネート、スルフェート、カルボキシレート及びホスフェートの部類の界面活性剤から選択され、そして液状組成物のアニオン性界面活性剤の対イオンは、ナトリウム、カリウム、カルシウム、マグネシウム、ＮＨ４＋及び第四アンモニウムイオン［ＨＮＲ１Ｒ２Ｒ３］＋（式中、Ｒ１、Ｒ２及びＲ３は、互いに独立して、水素、炭素原子数１〜２２の線状もしくは分枝状アルキル基、炭素原子数２〜２２の線状もしくは分枝状のモノ不飽和もしくはポリ不飽和のアルケニル基、炭素原子数２〜１０の線状モノヒドロキシアルキル基、好ましくはモノヒドロキシエチル基もしくはモノヒドロキシプロピル基、並びに炭素原子数３〜１０の線状もしくは分枝状ジヒドロキシアルキル基であることができる）のカチオンからなる群から選択される。
【００１８】
好ましくは、スルホネート、スルフェート、カルボキシレート及びホスフェートの部類の界面活性剤から選択される一種または二種以上の界面活性剤の対イオンは、ナトリウム、カリウム、カルシウム及びマグネシウムのカチオンからなる群から選択される。
【００１９】
特に好ましくは、液状組成物は一種または二種以上の第二パラフィンスルホネートを含む。第二パラフィンスルホネートとは、ランダムに分布した状態で主として一つのＳＯ３Ｘ基をパラフィン炭化水素鎖の第二位置に、及び副次的な量で二つもしくはそれ以上のＳＯ３Ｘ基をパラフィン炭化水素鎖の第二位置に含む界面活性剤である（Ｘ＝カチオン）。パラフィン炭化水素鎖は、主として線状であり、炭素原子数８〜２２の分枝状パラフィン鎖は５質量％以下の小割合でしか存在しない。特に好ましいものは、パラフィン基中に１３〜１７個の炭素原子を有する第二パラフィンスルホネートである。
【００２０】
更に、第一スルホネート、好ましくはアルカン−もしくはアルケンスルホネートが好ましく、この際、アルキルもしくはアルケニル基は分枝状かまたは線状のいずれかであることができ、そして場合により、ヒドロキシル基で置換されていてもよい。好ましい第一スルホネートは、炭素原子数９〜２５、好ましくは炭素原子数１０〜２０、特に好ましくは炭素原子数１３〜１７の線状アルキルもしくはアルケニル鎖を含む。
【００２１】
オレフィンスルホネートも同様に好ましく、これは、Ｃ１２〜Ｃ２４−、好ましくはＣ１４〜Ｃ１６−α−オレフィンを三酸化硫黄でスルホン化し、次いで中和することによって得られる。製造方法に起因して、これらのオレフィンスルホネートは、ヒドロキシアルカンスルホネート及びアルカンジスルホネートを比較的少量含み得る。
【００２２】
同様に、アルケニル−もしくはアルキルベンゼンスルホネートも好ましい。アルケニル−もしくはアルキル基は、分枝状もしくは線状であることができ、場合によってヒドロキシル基で置換されていてもよい。好ましいアルキルベンゼンスルホネートは、炭素原子数９〜２５、好ましくは炭素原子数１０〜１３の線状アルキル鎖を含む。
【００２３】
次式（１）のエステルスルホネートも同様に好ましい。
【００２４】
【化１】
2016517477.tif 000002
式中、
Ｒ１は、Ｃ８〜Ｃ２０炭化水素残基、好ましくはアルキルであり、そして
Ｒは、Ｃ１〜Ｃ６炭化水素残基、好ましくはアルキルであり、そして
Ｍは、エステルスルホネートと水溶性の塩を形成するカチオンを表す。
特に好ましいものは、Ｒ１がＣ１０〜Ｃ１６アルキルを意味し、Ｒがメチルを意味するメチルエステルスルホネートである。
【００２５】
好ましいスルフェートは、式ＲＯＳＯ３Ｍの水溶性塩であり、ここで、Ｒは、Ｃ１０〜Ｃ２４炭化水素残基、好ましくはＣ１０〜Ｃ２０アルキル成分を有するアルキル−もしくはヒドロキシアルキル基、特に好ましくはＣ１２〜Ｃ１８アルキル−もしくはヒドロキシアルキル基である。Ｍは、ナトリウム、カリウム、カルシウム、マグネシウムまたはこれらの混合物である。
【００２６】
好ましいエステルスルフェートは、線形式ＲＯ（Ａ）ｍＳＯ３Ｍの水溶性塩であり、ここでＲは、置換されていないＣ１０〜Ｃ２４炭化水素残基、好ましくはＣ１０〜Ｃ２４アルキル基、またはヒドロキシ基によって置換されたＣ１０〜Ｃ２４炭化水素残基、好ましくはＣ１０〜Ｃ２４ヒドロキシアルキル基、特に好ましくはＣ１２〜Ｃ２０アルキルもしくはヒドロキシアルキル基、就中好ましくはＣ１２〜Ｃ１８アルキルもしくはヒドロキシアルキル基を示す。Ａはエトキシ（ＥＯ）またはプロポキシ（ＰＯ）単位であり、ｍは０より大きい数、好ましくは０．５〜６の数、特に好ましくは０．５〜３の数であり、そしてＭはカチオン、例えばナトリウム、カリウム、カルシウム、マグネシウムまたはこれらの混合物である。
【００２７】
特に好ましいものは、Ｃ１２〜Ｃ１８−脂肪アルコールエーテルスルフェートであり、この際、ＥＯの含有量は、脂肪アルコールエーテルスルフェート１モルあたり１、２、２．５、３または４モルであり、ここでＭはナトリウムまたはカリウムである。
【００２８】
更に別の好ましいアニオン性界面活性剤は、カルボキシレート、特に脂肪酸石けんである。石けんは飽和または不飽和であることができ、そして様々な置換基、例えばヒドロキシル基またはα−スルホネート基を含むことができる。線状で飽和もしくは不飽和の炭化水素残基が、炭素原子数６〜３０、好ましくは炭素原子数１０〜１８の疎水性部分として好ましい。
【００２９】
更に特に好ましくは、液状組成物は、ラウリン酸、ミリスチン酸、パルミチン酸、ステアリン酸、ベヘン酸、水素化エルカ酸、オレイン酸、リノール酸、リノレン酸及びこれらの混合物の塩、並びに天然の油脂からの脂肪酸もしくは脂肪酸混合物の塩、好ましくはココナツ油、ダイズ油、ナタネ油、ヒマワリ油、キャノーラ油、パーム脂肪油、パーム核油、オリーブ油及びタロー脂肪からの脂肪酸または脂肪酸混合物の塩からなる群から選択される一種または二種以上のアニオン性界面活性剤を含む。
【００３０】
好ましくは、上記液状組成物は、アルコキシル化脂肪アルコール、脂肪酸アミド、アルコキシル化脂肪酸アミド、アルキルフェノールポリグリコールエーテル、アミンオキシド、ポリヒドロキシ脂肪酸アミド及びアルキルポリグリコシドの部類の界面活性剤から選択される一種または二種以上のノニオン性界面活性剤を含む。
【００３１】
その中でも好ましくは、上記液状組成物は、一種または二種以上のノニオン性界面活性剤を含み、そして液状組成物の一種または二種以上のノニオン性界面活性剤は、アルコキシル化脂肪アルコール、脂肪酸アミド、アルコキシル化脂肪酸アミド、アルキルフェノールポリグリコールエーテル、アミンオキシド、ポリヒドロキシ脂肪酸アミド及びアルキルポリグリコシドから選択される。
【００３２】
アルコキシル化脂肪アルコールのアルキル−もしくはアルケニル鎖は、線状または分枝状、第一または第二であることができ、そして一般的に８〜２２個の炭素原子を含む。特に好ましくは、上記液状組成物は、Ｃ１０〜Ｃ２０アルコールと１モルのアルコール当たり２〜１８モルのエチレンオキシドとの縮合生成物から選択される一種または二種以上のノニオン性界面活性剤を含む。アルコールエトキシレートは、エチレンオキシドの狭い同族体分布（「ナローレンジエトキシレート」）または広い同族体分布（「ブロードレンジエトキシレート」）を有することができる。このタイプの商業的に入手可能なノニオン性界面活性剤の例は、Ｔｅｒｇｉｔｏｌ（登録商標）１５−Ｓ−９（線状第二Ｃ１１〜Ｃ１５アルコールと９モルのエチレンオキシドとの縮合生成物）、Ｔｅｒｇｉｔｏｌ（登録商標）２４−Ｌ−ＮＭＷ（分子量分布が狭い線状第一Ｃ１２〜Ｃ１４アルコールと６モルのエチレンオキシドとの縮合生成物）である。同様に、Ｃｌａｒｉａｎｔ社のＧｅｎａｐｏｌ（登録商標）もこの部類の製品に該当する。
【００３３】
更に、次式（２）の脂肪酸アミドが好ましい。
【００３４】
【化２】
2016517477.tif 000003
式中、
Ｒは、炭素原子数７〜２１、好ましくは９〜１７のアルキル基であり、そして
各Ｒ１は、水素、Ｃ１〜Ｃ４アルキル、Ｃ１〜Ｃ４ヒドロキシアルキルまたは（Ｃ２Ｈ４Ｏ）ｘＨを意味し、
この際、ｘは１〜３の範囲である。
好ましいものは、Ｃ８〜Ｃ２０−アミド、−モノエタノールアミド、−ジエタノールアミド及び−イソプロパノールアミドである。
【００３５】
同様に、アルキルフェノールのポリエチレンオキシド縮合物、ポリプロピレンオキシド縮合物及びポリブチレンオキシド縮合物が好ましい。これらの化合物は、線状または分枝状であることができるＣ６〜Ｃ２０アルキル基を有するアルキルフェノールと、アルケンオキシドとの縮合生成物を包含する。これらの界面活性剤は、アルキルフェノールアルコキシレート、例えばアルキルフェノールエトキシレートと称される。
【００３６】
更に、次式（３）の水溶性アミンオキシドが好ましい。
【００３７】
【化３】
2016517477.tif 000004
この際、Ｒは、８〜２２個の炭素原子の鎖長を有するアルキル−、ヒドロキシアルキル−またはアルキルフェノール基であり、
Ｒ２は、炭素原子数２〜３のアルキレン−もしくはヒドロキシアルキレン基、またはこれらの混合物であり、
各Ｒ１は、炭素原子数１〜３のアルキル−もしくはヒドロキシアルキル基、またはエチレンオキシド単位数１〜３のポリエチレンオキシド基であり、そして
ｘは、０〜１０の数を意味する。
【００３８】
同様に、次式（４）のポリヒドロキシ脂肪酸アミドも好ましく使用される。
【００３９】
【化４】
2016517477.tif 000005
式中、
Ｒ１は、炭素原子数６〜２２の脂肪族アシル基を表し、
Ｒ２は、水素、炭素原子数１〜４のアルキルまたはヒドロキシアルキル基を表し、そして
Ｚは、炭素原子数３〜１０及びヒドロキシ数３〜１０の線状または分枝状ポリヒドロキシアルキル基を表す。
【００４０】
式ＲＯ（Ｇ）ｘのアルキルポリグリコシドも同様に好ましく、ここでＲは、炭素原子数８〜２２、好ましくは炭素原子数１２〜１８の第一の直鎖状またはメチル分枝状、特に２位でメチル分枝状の脂肪族残基を表し、そしてＧは、炭素原子数５または６のグルコース単位、好ましくはグルコースを意味する。モノグリコシド及びオリゴグリコシドの分布を示すオリゴマー化度ｘは、好ましくは１〜１０の数であり、特に好ましくはｘは１．２〜１．４である。
【００４１】
本発明の好ましい実施形態の一つでは、上記液状組成物は、一種または二種以上のアルカノールアミンまたはそれの塩を含む。
【００４２】
本発明の好ましい実施形態の一つでは、上記液状組成物は、アルカノールアミン及びそれの塩を含まない。これは、例えば、これらの物質が、アニオン性界面活性剤の対イオンとしても考慮されないことを意味する。
【００４３】
好ましくは、上記液状組成物は、一種または二種以上のアニオン性界面活性剤及び一種または二種以上のノニオン性界面活性剤を含む。
【００４４】
特に好ましくは、前記液状組成物は一種または二種以上のアニオン性界面活性剤及び一種または二種以上のノニオン性界面活性剤を含み、そして液状組成物中の一種または二種以上のアニオン性界面活性剤と一種または二種以上のノニオン性界面活性剤の総濃度は一緒に、液状組成物の総重量を基準にして１０．０重量％超である。
【００４５】
特に好ましくは、前記液状組成物は一種または二種以上のアニオン性界面活性剤及び一種または二種以上のノニオン性界面活性剤を含み、そして液状組成物中の一種または二種以上のアニオン性界面活性剤と一種または二種以上のノニオン性界面活性剤の総濃度は一緒に、液状組成物の総重量を基準にして２５．０重量％超である。
【００４６】
本発明の非常に好ましい実施形態の一つでは、上記液状組成物は、一種または二種以上のアニオン性界面活性剤及び一種または二種以上のノニオン性界面活性剤を含み、そして液状組成物中の一種または二種以上のアニオン性界面活性剤と一種または二種以上のノニオン性界面活性剤との一緒の総濃度は、液状組成物の総重量を基準にして３０〜５０重量％である。
【００４７】
本発明の非常に好ましい実施形態の一つでは、上記液状組成物は、一種または二種以上のアニオン性界面活性剤及び一種または二種以上のノニオン性界面活性剤を含み、そして液状組成物中の一種または二種以上のアニオン性界面活性剤と一種または二種以上のノニオン性界面活性剤との一緒の総濃度は、液状組成物の総重量を基準にして５０重量％超、特に好ましくは５０重量％超〜８０重量％である。
【００４８】
更に特に好ましくは、上記液状組成物は、一種または二種以上のアニオン性界面活性剤及び一種または二種以上のノニオン性界面活性剤を含み、そして液状組成物の一種または二種以上のアニオン性界面活性剤及び液状組成物の一種または二種以上のノニオン性界面活性剤は、液状組成物中に、１０：１〜１：１０、特に好ましくは５：１〜１：５、とりわけ好ましくは３：１〜１：３、非常に好ましくは２：１〜１：２のアニオン性界面活性剤：ノニオン性界面活性剤の重量比で存在する。
【００４９】
本発明の更に別の好ましい変法の一つでは、該液状組成物は、液状組成物の総重量を基準にして、少なくとも１０重量％、特に１０〜５０重量％、とりわけ特に好ましくは２０〜４０重量％のアニオン性界面活性剤を含む。
【００５０】
本発明の更に別の好ましい変法の一つでは、該液状組成物は、液状組成物の総重量を基準にして、少なくとも１〜３０重量％、特に好ましくは５〜２０重量％のノニオン性界面活性剤を含む。
【００５１】
本発明の更に別の好ましい変法の一つでは、該液状組成物はアニオン性界面活性剤及びノニオン性界面活性剤を含み、この際、アニオン性界面活性剤の含有率は、ノニオン性界面活性剤の含有率よりも多く、及びアニオン性界面活性剤の含有率は、特に好ましくは２０〜４０重量％であり、そしてノニオン性界面活性剤の含有率は特に好ましくは５〜２０重量％であり、この際、上記の重量データは、液状組成物の総重量を基準にする。
【００５２】
酵素としては、慣用の酵素を使用できる。好ましくは、上記液状組成物は、プロテアーゼ、アミラーゼ、マンナーゼ、リパーゼ、エンドラーゼ、ペクチナーゼ、セルラーゼ、プルリナーゼ、クチナーゼまたはパーオキシダーゼからなる群から選択される一種または二種以上の酵素を含む。
【００５３】
プロテアーゼには、例えばＬｉｑｕａｎａｓｅ（登録商標）Ｕｌｔｒａ  ２，０ＸＬ、ＢＬＡＰ（登録商標）、Ｏｐｔｉｃｌｅａｎ（登録商標）、Ｍａｘａｃａｌ（登録商標）、Ｍａｘａｐｅｍ（登録商標）、Ｅｓｐｅｒａｓｅ（登録商標）、Ｓａｖｉｎａｓｅ（登録商標）、Ｐｕｒａｆｅｃｔ（登録商標）、ＯｘＰ及び／またはＤｕｒａｘｙｍ（登録商標）が、
アミラーゼには、例えばＳｔｅｉｎｚｙｍｅ（登録商標）Ｐｌｕｓ  １２Ｌ、Ｔｅｒｍａｍｙｌ（登録商標）、Ａｍｙｌａｓｅ（登録商標）ＬＴ、Ｍａｘａｍｙｌ（登録商標）、Ｄｕｒａｍｙｌ（登録商標）及び／またはＰｒｕａｆｅｃｔ（登録商標）Ｏｘが、
マンナーゼには、例えばＭａｎｎａｗａｙ  ４，０  Ｌが、
リパーゼには、例えばＬｉｐｅｘ（登録商標）１００  Ｌ、Ｌｉｐｏｌａｓｅ（登録商標）、Ｌｉｐｏｍａｘ（登録商標）、Ｌｕｍａｆａｓｔ（登録商標）及び／またはＬｉｐｏｚｙｍ（登録商標）が、
エンドラーゼには、例えばＥｎｄｏｌａｓｅ（登録商標）５０００Ｌが、
ペクチナーゼには、例えばＰｅｃｔｉｎｅｘ  ３Ｘ  Ｌ及び／またはＰｅｃｔｉｎｅｘ  Ｕｌｔｒａ  ＳＰＬが、そして
セルラーゼには、例えばＣａｒｅｚｙｍｅ  １０００Ｌ及び／またはＣｅｌｌｕｃｌａｓｔ  １．５Ｌが、利用される。
【００５４】
好ましくは、液状組成物中の一種または二種以上の酵素の総濃度、及び好ましくはプロテアーゼ、アミラーゼ、マンナーゼ、リパーゼ、エンドラーゼ、ペクチナーゼ、セルラーゼ、プルリナーゼ、クチナーゼ及びパーオキシダーゼからなる群から選択される一種またはそれ以上の酵素の総濃度は、液状組成物の総重量を基準にして少なくとも０．００１重量％、特に好ましくは０．０１〜１０重量％、とりわけ好ましくは０．１〜５重量％、非常に好ましくは１〜３重量％である。
【００５５】
好ましくは、一種または二種以上の漂白剤は、液状組成物の一種または二種以上の界面活性剤と一種または二種以上の漂白剤との重量比が１００：１〜１：１、特に好ましくは５０：１〜２：１、とりわけ好ましくは４０：１〜４：１、非常に好ましくは３０：１〜５：１となる量で使用される。
【００５６】
漂白剤とは、一方では、漂白活性化剤と反応し、この時、低温で（例えば７０℃未満）で漂白剤単独よりもかなりより効果的に漂白作用を示すパーオキシ酸を形成する化合物と解される。
【００５７】
このような漂白剤としては、過酸化水素及び無機過酸塩、好ましくは過炭酸塩、過ホウ酸塩、過硫酸塩及び過ケイ酸塩、特にアルカリ金属塩の形のこれらの塩が適している。特に好ましいこのような漂白剤は、過酸化水素、過ホウ酸ナトリウム（一水和物及び四水和物）及び／または過炭酸ナトリウム、特に好ましくは過ホウ酸ナトリウム（一水和物及び四水和物）及び／または過炭酸ナトリウムである。
【００５８】
それ故、本発明の特に好ましい実施形態の一つでは、上記の一種または二種以上の漂白剤は、過ホウ酸ナトリウム（一水和物及び四水和物）及び過炭酸ナトリウムからなる群から選択される。
【００５９】
漂白剤とは、他方で、漂白活性化剤無しで作用する化合物のことと解される。適当なこのような漂白剤は過酸またはそれの塩である。
【００６０】
特に好ましい過酸または過酸塩は、次式のペルオキシカルボン酸及びその塩である。
【００６１】
【化５】
2016517477.tif 000006
式中、Ｒは、アルキル基、アラルキル基、シクロアルキル基、アリール基またはヘテロ環式基を表し、好ましくは線状または分枝状の置換されたまたは置換されていないアルキル基、特に好ましくは炭素原子数６〜９のアルキル基を表し、そしてＸ＋は、適当な対イオン、好ましくはＨ＋、カリウムイオンまたはナトリウムイオンを意味する。好ましいものは、ペルオキシヘキサノイル酸、ペルオキシヘプタノイル酸、ペルオキシオクタノイル酸、ペルオキシノナノイル酸、ペルオキシデカノイル酸及びそれらの塩である。
【００６２】
更に、特に好ましい過酸または過酸塩は、次式のペルオキシスルホン酸及びその塩である。
【００６３】
【化６】
2016517477.tif 000007
式中、Ｒは、アルキル基、アラルキル基、シクロアルキル基、アリール基またはヘテロ環式基を表し、好ましくは線状または分枝状の置換されたまたは置換されていないアルキル基、特に好ましくは炭素原子数６〜９のアルキル基を表し、そしてＸ＋は、適当な対イオン、好ましくはＨ＋、カリウムイオンまたはナトリウムイオンを意味する。
【００６４】
更に、特に好ましい過酸または過酸塩は、ペルオキソフタル酸及びそれの塩、フタルイミノ過酸及びそれの塩、ジペルオキシカルボン酸及びそれの塩、またはペルオキシ硫酸及びそれの塩である。
【００６５】
漂白活性化剤無しで作用する漂白剤の中では、モノペルオキシフタル酸及びそれの塩、Ｎ，Ｎ−フタロイルアミノペルオキシカプロイル酸（ＰＡＰ）及びそれの塩、ジペルアゼライン酸及びそれの塩、ジペルドデカン二酸及びそれの塩、及びモノペルオキシ硫酸及びそれの塩からなる群から選択される過酸またはそれの塩が特に好ましく、この際、塩は、好ましくはナトリウム塩及び／またはカリウム塩から選択される。モノペルオキシ硫酸及びそれの塩の中では、特に、ペルオキシモノ硫酸カリウム（Ｃａｒｏａｔの商品名で入手可能）が好ましい。
【００６６】
本発明の更に特に好ましい実施形態の一つでは、漂白剤はＮ，Ｎ−フタロイルアミノペルオキシカプロイル酸である。
【００６７】
本発明の好ましい実施形態の一つでは、上記の一種または二種以上の漂白剤は、固形の形態で洗濯液中に計量添加される。
【００６８】
本発明の更に好ましい実施形態の一つでは、これに対して、上記の一種または二種以上の漂白剤は、液状の形態で洗濯液中に計量添加される。ここで「液状」という用語は、上記の「液状組成物」の説明の場合のように理解するべきである。
【００６９】
上記の一種または二種以上の漂白剤は、本発明の方法において、漂白活性化剤無しで、または一種もしくは二種以上の漂白活性化剤と一緒に使用することができる。
【００７０】
本発明による方法の好ましい実施形態の一つでは、該方法は、一種または二種以上の漂白活性化剤の存在下に行われる。
【００７１】
漂白活性化剤が使用される場合には、これは、例えば、液状組成物が既に一種または二種以上の漂白活性化剤を含むようにして達成される。しかし、上記液状組成物が漂白活性化剤を含まない場合には、一種または二種以上の漂白活性化剤は、液状組成物に対し追加して、本発明方法において使用できる。この際は、一種または二種以上の漂白活性化剤は、漂白剤とは別にしてまたは漂白剤と一緒に、本発明による組成物中に使用することができる。
【００７２】
それ故、本発明による方法の好ましい実施形態の一つでは、一種または二種以上の漂白活性剤が液状組成物中に含まれる。
【００７３】
それに対して、本発明による方法の更に別の好ましい実施形態の一つでは、一種または二種以上の漂白活性化剤が、一種または二種以上の漂白剤と一緒に、好ましくは混合物の形で、洗濯液中に計量添加される。
【００７４】
本発明による方法は、例えば、液状組成物が漂白活性化剤を含み、そして該方法中に更に別の漂白活性化剤が追加的に添加されるように行うこともできる。
【００７５】
漂白活性化剤として、本発明による方法において、ポリアシル化アルキレンジアミン、特にテトラアセチルエチレンジアミン（ＴＡＥＤ）、アシル化トリアジン誘導体、特に１，５−ジアセチル−２，４−ジオキソヘキサヒドロ−１，３，５−トリアジン（ＤＡＤＨＴ）、アシル化グリコールウリル、特にテトラアセチルグリコールウリル（ＴＡＧＵ）、Ｎ−アシルイミド、特にＮ−ノナノイルスクシンイミド（ＮＯＳＩ）、アシル化フェノールスルホネート、特にｎ−ノナノイルオキシ−もしくはｎ−ラウロイルオキシベンゼンスルホネート（ＮＯＢＳもしくはＬＯＢＳ）、アシル化フェノールカルボン酸、特にノナノイルオキシ−もしくはデカノイルオキシ安息香酸（ＮＯＢＡもしくはＤＯＢＡ）、カルボン酸無水物、特にフタル酸無水物、アシル化多価アルコール、特にトリアセチン、エチレングリコールジアセテート及び２，５−ジアセトキシ−２，５−ジヒドロフラン並びにアセチル化ソルビトール及びマンニトールまたはこれらの混合物（ＳＯＲＭＡＮ）、アシル化糖誘導体、特にペンタアセチルグルコース（ＰＡＧ）、ペンタアセチルフルクトース、テトラアセチルキシロース及びオクタアセチルラクトース並びにアセチル化された、場合によってはＮ−アルキル化されたグルカミン及びグルコノラクトン、及び／またはＮ−アシル化ラクタム、例えばＮ−ベンゾイルカプロラクラムの群から選択される一種または二種以上の物質を使用することができる。親水性に置換されたアシルアセタール及びアシルラクタムも同様に好ましく使用される。その他、ニトリル誘導体、例えばｎ−メチル−モルホリニウム−アセトニトリル−メチルスルフェート（ＭＭＡ）またはシアノモルホリン（ＭＯＲ）を漂白活性化剤として使用できる。慣用の漂白活性化剤の組み合わせも使用できる。
【００７６】
特に好ましくは、一種または二種以上の漂白活性化剤は、テトラアセチルエチレンジアミン、デカノイルオキシ安息香酸、ｎ−ノナノイルオキシベンゼンスルホネート及びｎ−ラウロイルオキシベンゼンスルホネートからなる群から選択される。
【００７７】
本発明による方法の好ましい実施形態の一つでは、一種または二種以上の漂白活性化剤が、一種または二種以上の漂白剤と一種または二種以上の漂白活性化剤との重量比が２５：１〜１：１、特に好ましくは１０：１〜１．５：１となるような量で使用される。
【００７８】
本発明の好ましい実施形態の一つでは、上記液状粗製物は、一種または二種以上の漂白活性化剤をそれぞれ該液状組成物の総質量を基準にして、好ましくは１〜１０重量％、特に好ましくは１．５〜７重量％、特に好ましくは２〜６重量％の量で含む。
【００７９】
漂白活性化剤が本発明による方法に使用されるが、液状組成物中には含まれない場合には、これらは、同様に、仮に液状組成物中に含まれる場合のような量で使用される。然るべき量は前記の段落に記載されている。
【００８０】
該液状組成物は、例えば、多区画システム、多区画ボトルまたは多区画パウチの形で、漂白剤とは分けて、場合によっては及び（漂白活性化剤も使用される場合には）漂白活性化剤とも分けて、本発明による方法において使用することができる。本発明による方法では、液状組成物、一種または二種以上の漂白剤、場合により及び一種または二種以上の漂白活性化剤（漂白活性化剤が使用されるが、ただし例えば互いに分けて使用される場合も（または例えば液状組成物中に使用される場合も、または例えば一種または二種以上の漂白剤と一緒に（例えば混合物の形で）使用される場合も））、繊維材料の洗濯及び洗浄の時に直接組み合わせることができる。
【００８１】
上記のアニオン性界面活性剤及びノニオン性界面活性剤の他に、他の構成分として、更に両性及びカチオン性界面活性剤、漂白活性化剤、ビルダー、コビルダー、洗浄アルカリ（Ｗａｓｃｈａｌｋａｌｉｅｎ）、漂白触媒、金属イオン封鎖剤、ソイルリリースポリマー、黒ずみ防止剤、色移り防止剤、染料固着剤、錯体形成剤、蛍光増白剤、柔軟成分、染料、香料、乳化剤、ハイドロトロープ剤、有機溶媒、並びに水が、上記液状組成物中に含まれ得る。
【００８２】
適当な両性または双性イオン性界面活性剤は、アルキルベタイン、アルキルアミドベタイン、アミノプロピオネート、アミノグリシネートまたは次式（５）の両性イミダゾリニウム化合物である。
【００８３】
【化７】
2016517477.tif 000008
式中、
Ｒ１は、Ｃ８〜Ｃ２２アルキルまたはアルケニルを意味し、
Ｒ２は、水素またはＣＨ２ＣＯ２Ｍを意味し、
Ｒ３は、ＣＨ２ＣＨ２ＯＨまたはＣＨ２ＣＨ２ＯＣＨ２ＣＨ２ＣＯ２Ｍを意味し、
Ｒ４は、水素、ＣＨ２ＣＨ２ＯＨまたはＣＨ２ＣＨ２ＣＯＯＭを意味し、
Ｚは、ＣＯ２ＭまたはＣＨ２ＣＯ２Ｍを意味し、
ｎは、２または３、好ましくは２を意味し、
Ｍは、水素、またはアルカリ金属、アルカリ土類金属などのカチオンを意味する。
【００８４】
上記式の好ましい両性界面活性剤は、モノカルボキシレート及びジカルボキシレートである。これの例は、ココアンフォカルボキシプロピオネート、ココアミドカルボキシプロピオン酸、ココアンフォカルボキシグリシネート（またはココアンフォジアセテートとも称される）及びココアンフォアセテートである。
【００８５】
他の好ましい両性界面活性剤は、線状または分枝状であることができる炭素原子数８〜２２、好ましくは炭素原子数８〜１８、特に好ましくは炭素原子数１２〜１８のアルキル基を有するアルキルジメチルベタイン及びアルキルジポリエトキシベタインである。これらの化合物は、例えば、Ｃｌａｒｉａｎｔ社から、Ｇｅｎａｇｅｎ（登録商標）ＬＡＢの商品名で販売されている。
【００８６】
上記液状組成物が一種または二種以上の両性界面活性剤を含む場合には、これらは、好ましくは、それぞれ液状組成物の総質量を基準にして、好ましくは０．１〜１０重量％の量、特に好ましくは０．５〜５重量％の量で該組成物中に含まれる。
【００８７】
適当なカチオン性界面活性剤は、Ｒ１Ｎ（ＣＨ３）３＋Ｘ−、Ｒ１Ｒ２Ｎ（ＣＨ３）２＋Ｘ−、Ｒ１Ｒ２Ｒ３Ｎ（ＣＨ３）＋Ｘ−またはＲ１Ｒ２Ｒ３Ｒ４Ｎ＋Ｘ−のタイプの置換されたまたは置換されていない、直鎖状または分枝状第四アンモニウム塩である。Ｒ１、Ｒ２、Ｒ３及びＲ４基は、好ましくは、互いに独立して、炭素原子数８〜２４、特に炭素原子数１０〜１８の鎖長を有する置換されていないアルキル、炭素原子数１〜４のヒドロキシアルキル、フェニル、Ｃ２〜Ｃ１８アルケニル、Ｃ７〜Ｃ２４アラルキル、（Ｃ２Ｈ４Ｏ）ｘＨ（ここでｘは１〜３を意味する）、一つまたは二つ以上のエステル基を含むアルキル基、または環状第四アンモニウム塩であることができる。Ｘは適当なアニオンである。
【００８８】
他の適当なカチオン性界面活性剤は、次式（６）の第四アルキルヒドロキシアルキルアンモニウム塩である。
【００８９】
【化８】
2016517477.tif 000009
式中、
Ｒ１は、炭素原子数５〜２２、好ましくは８〜１８、特に好ましくは８〜１４の線状または分枝状の飽和または不飽和のアルキル基を表し、
Ｒ２は、メチル基を表し、
Ｒ３は、メチル基などを表し、
Ｒ４は、式−Ａ−（ＯＡ）ｎ−ＯＨの基を表し、ここで、Ａは、−Ｃ２Ｈ４−及び／または−Ｃ３Ｈ６−であることができ、そしてｎは０〜２０の数であることができる。
【００９０】
Ｘは任意のアニオンであることができ、例えば塩化物イオン、臭化物イオン、ヨウ化物イオン、フッ化物イオン、硫酸イオン、硫酸水素イオン、炭酸イオン、炭酸水素イオン、酢酸イオン、クエン酸イオン、リン酸イオン、リン酸一水素または二水素イオン、ピロリン酸イオン、ポリリン酸イオン、メタリン酸イオン、硝酸イオン、メチル硫酸イオン、ホスホン酸イオン、メチルホスホン酸イオン、メタン二スルホン酸イオン、メチルスルホン酸イオン、エタンスルホン酸イオンなどであることができ、または式Ｒ６ＳＯ３−、Ｒ７ＳＯ４−またはＲ６ＣＯＯ−のアニオンを表し、ここでＲ６及びＲ７は、Ｃ２〜Ｃ２０−、好ましくはＣ１０〜Ｃ１８−アルキルを意味し、そしてＲ７は追加的にＣ１〜Ｃ１８アルキルフェニルも意味する。
【００９１】
非常に好ましいものは、第四Ｃ８〜Ｃ１０アルキルジメチルヒドロキシエチルアンモニウムクロライドまたは−メトスルフェート、及び第四Ｃ１２〜Ｃ１４アルキルジメチルヒドロキシエチルアンモニウムクロライドまたは−メトスルフェートである。
【００９２】
上記液状組成物が一種または二種以上のカチオン性界面活性剤を含む場合には、これらは、好ましくは、それぞれ液状組成物の総質量を基準にして、好ましくは０．１〜１５重量％の量、特に好ましくは０．５〜７重量％の量で該組成物中に含まれる。
【００９３】
上記液状組成物が一種または二種以上のカチオン性界面活性剤を含む場合には、一種または二種以上のカチオン性界面活性剤と一種または二種以上のアニオン性界面活性剤との重量比は好ましくは１：１０〜１：５である。
【００９４】
上記液状組成物中に含まれ得る更なる成分は、水の硬度を低めるための無機及び／または有機ビルダー及びコビルダーを含む。
【００９５】
これらのビルダーは、５〜８０％の重量割合で液状組成物中に含まれ得る。無機ビルダーには、例えばポリリン酸、例えばトリポリリン酸、ピロリン酸及びガラス様ポリマー性メタリン酸、ホスホン酸、ケイ酸、炭酸（重炭酸も含む）及びセスキ炭酸、硫酸及びアルミノケイ酸のアルカリ塩、アンモニウム塩及びアルカノールアンモニウム塩が挙げられる。
【００９６】
ケイ酸塩ビルダーの例は、アルカリ金属ケイ酸塩、特にＳｉＯ２：Ｎａ２Ｏ比率が１．６：１〜３．２：１のアルカリ金属ケイ酸塩、並びに層状ケイ酸塩、例えばＣｌａｒｉａｎｔ社からＳＫＳ（登録商標）のブランドで入手できるＵＳ４，６６４，８３９（特許文献５）に記載のような層状ケイ酸ナトリウムである。ＳＫＳ−６（登録商標）が、特に好ましい層状ケイ酸塩ビルダーである。
【００９７】
アルミノケイ酸塩ビルダーが特に好ましい。これらは、特に、式Ｎａｚ［（ＡｌＯ２）ｚ（ＳｉＯ２）ｙ］・ｘＨ２Ｏのゼオライトであり、ここでｚ及びｙは少なくとも６の整数を意味し、ｙに対するｚの比率は１．０〜０．５であり、そしてｘは１５〜２６４の整数を意味する。
【００９８】
アルミノケイ酸塩ベースの適当なイオン交換体は商業的に入手できる。これらのアルミノケイ酸塩は、結晶性または非晶質の構造であることができ、そして天然に生ずるかまたは合成して製造することができる。
【００９９】
合成結晶性アルミノケイ酸塩をベースとする好ましいイオン交換体は、ゼオライトＡ、ゼオライトＰ（Ｂ）（ＥＰ−Ａ−０３８４０７０（特許文献６）に開示のものも含む）及びゼオライトＸの名称で入手することができる。
【０１００】
適当な有機系ビルダーには、例えばＵＳ３，１２８，２８７（特許文献７）及びＵＳ３，６３５，８３０（特許文献８）に記載のような、ポリカルボキシル化合物、例えばエーテルポリカルボキシレート及びオキシジスクシネートなどが挙げられる。同様に、ＵＳ４，６６３，０７１（特許文献９）から知られる“ＴＭＳ／ＴＤＳ”ビルダーも挙げられる。
【０１０１】
他の適当なビルダーには、エーテルヒドロキシポリカルボキシレート、アクリル酸と無水マレイン酸とのコポリマー、無水マレイン酸とエチレンまたはビニルメチルエーテルとのコポリマー、１，３，５−トリヒドロキシベンゼン−２，４，６−トリスルホン酸及びカルボキシメチルオキシコハク酸、ポリ酢酸のアルカリ、アンモニウム及び置換アンモニウム塩、例えばエチレンジアミンテトラ酢酸及びニトリロトリ酢酸、並びにポリカルボン酸、例えばメリト酸、コハク酸、オキシジコハク酸、ポリマレイン酸、ベンゼン−１，３，５−トリカルボン酸、カルボキシメチルオキシコハク酸、並びにこれらの可溶性の塩が含まれる。
【０１０２】
シトレート、例えばクエン酸及びそれの可溶性の塩、特にナトリウム塩をベースとするビルダーは、好ましいポリカルボン酸ビルダーであり、これは、ゼオライト及び／または層状ケイ酸塩と一緒に使用できる。
【０１０３】
更に別の適当なビルダーは、３，３−ジカルボキシ−４−オキサ−１，６−ヘキサンジオエート及びＵＳ４，５６６，９８４（特許文献１０）に記載の類似の化合物である。
【０１０４】
リンをベースとするビルダーを使用できる時、様々なアルカリ金属リン酸塩、例えばトリポリリン酸ナトリウム、ピロリン酸ナトリウム及びオルトリン酸ナトリウムを使用することができる。エタン−１−ヒドロキシ−１，１−ジホスホネート並びにＵＳ３，１５９，５８１（特許文献１１）、ＵＳ３，２１３，０３０（特許文献１２）、ＵＳ３，４２２，０２１（特許文献１３）、ＵＳ３，４００，１４８（特許文献１４）及びＵＳ３，４２２，１３７（特許文献１５）に開示されるような他の既知のホスホネートなどのホスホネート系ビルダーも同様に使用することができる。
【０１０５】
上記液状組成物は、組成物のｐＨ値を上げる洗浄アルカリを含むことができる。適当なものは、炭酸塩、炭酸水素塩及びケイ酸塩、特にアルカリ炭酸塩、アルカリ炭酸水素塩及びＳｉＯ２／Ｍ２Ｏ（Ｍ＝アルカリ原子）のモル比が１：１〜２．５：１であるアルカリケイ酸塩である。
【０１０６】
漂白触媒としては、好ましくは、マンガン、鉄、コバルト、ルテニウム、モリブデン、チタンまたはバナジウムの漂白増強遷移金属塩または錯体が適している。金属塩の使用の時は、特に、酸化状態＋２または＋３のマンガン塩、特にハロゲン化マンガン（この際、塩化物が好ましい）、硫酸マンガン、有機酸のマンガン塩、例えば酢酸マンガン、マンガンアセチルアセトネート、シュウ酸マンガン並びに硝酸マンガンが好ましい。
【０１０７】
更に、酸化状態ＩＩまたはＩＩＩの鉄及び酸化状態ＩＩ、ＩＩＩ、ＩＶまたはＩＶのマンガンの錯体が好ましく、これらは好ましくは、ドナー官能基Ｎ１、ＮＲ、ＰＲ、Ｏ及び／またはＳを有する一つまたは複数のマクロ環状配位子（複数可）を含む。好ましくは、窒素ドナー官能基を有する配位子が使用される。好ましいものは、高分子配位子として１，４，７−トリメチル−１，４，７−トリアザシクロノナン（Ｍｅ−ＴＡＣＮ）、１，４，７−トリアザシクロノナン（ＴＡＣＮ）、１，５，９−トリメチル−１．［デルタ］．［シータ］−トリアザシクロドデカン（Ｍｅ−ＴＡＣＤ）、２−メチル−１，４，７−トリメチル−１，４，７−トリアザシクロノナン（ＭｅＭｅＴＡＣＮ）及び／または２−メチル−１，４，７−トリアザシクロノナン（Ｍｅ／ＴＡＣＮ）または架橋された配位子、例えば１，２−ビス−（４，７−ジメチル−１，４，７−トリアザシクロノノ−１−イル）エタン（Ｍｅ４−ＤＴＮＥ）またはシクラムもしくはシクレンの誘導体、例えば１，８−ジメチルシクラム、１，７−ジメチルシクレン、１，８−ジエチルシクラム、１，７−ジエチルシクレン、１，８−ジベンジルシクラム及び１，７−ジベンジルシクレンを含む遷移金属錯体、例えばＥＰ０４５８３９７（特許文献１６）、ＥＰ０４５８３９８（特許文献１７）、ＥＰ０５４９２７２（特許文献１８）、ＷＯ９６／０６１５４（特許文献１９）、ＷＯ９６／０６１５７（特許文献２０）またはＷＯ２００６／１２５５１７（特許文献２１）に記載のようなもの、しかし他には、ＥＰ１４４５３０５（特許文献２２）、ＥＰ１５２０９１０（特許文献２３）、ＥＰ１５５７４５７（特許文献２４）及びＷＯ２０１１／０９５３０８（特許文献２５）から知られるようなマンガン錯体である。
【０１０８】
上記液状組成物が一種または二種以上の漂白活性化剤を含む場合には、これらは、液状組成物の総質量を基準にして、好ましくは０．００１〜２重量％の量で該組成物中に含まれる。
【０１０９】
金属イオン封鎖剤としては、トリポリリン酸ナトリウム（ＳＴＰＰ）、エチレンジアミンテトラ酢酸（ＥＤＴＡ）及びその塩、ニトリロトリ酢酸（ＮＴＡ）、ポリアクリレート、ホスホネート、シュウ酸、シュウ酸塩、クエン酸、ゼオライト、縮合ホスフェート、カーボネート、ポリカーボネートが利用される。
【０１１０】
ソイルリリースポリマー（ＳＲＰ）には、一種または二種以上のスルホ基不含芳香族ジカルボン酸及び／またはそれの塩、一種または二種以上のスルホ基含有ジカルボン酸、式Ｒ１Ｏ（ＣＨＲ２ＣＨＲ３Ｏ）ｎＨ（式中、Ｒ１は、Ｈ、炭素原子数１〜２２の線状または分枝状アルキルまたはアルケニル基、好ましくはＣ１〜Ｃ４アルキル、特に好ましくはメチルを表し、Ｒ２及びＲ３は、互いに独立して、水素を表すかまたは炭素原子数１〜４のアルキル基を表し、好ましくは水素及び／またはメチルを表し、そしてｎは１〜１００の数である）の一種または二種以上の化合物、式Ｈ−（ＯＣＨ２ＣＨ２）ｍ−ＳＯ３Ｘ（式中、ｍは１〜１００の数を表し、そしてＸは水素またはアルカリ金属イオンを表す）の一種または二種以上の化合物、及び一種または二種以上の架橋性多官能性化合物から選択される成分を重合して得ることができるポリエステルが適している。
【０１１１】
本発明の好ましい実施形態の一つでは、上記液状組成物は、一種または二種以上のソイルリリースポリマーを含む。上記液状組成物が一種または二種以上のソイルリリースポリマーを含む場合には、これらは、それぞれ液状組成物の総質量を基準にして、好ましくは０．１〜１０重量％の量、特に好ましくは０．２〜３重量％の量で該組成物中に含まれる。
【０１１２】
黒ずみ防止剤としては、カルボキシメチルセルロース、メチルセルロース、ヒドロキシアルキルセルロース、メチルヒドロキシエチルセルロース、メチルヒドロキシプロピルセルロース、メチルカルボキシメチルセルロース及びポリビニルピロリドンが考慮される。
【０１１３】
色移り防止剤、例えばポリアミン−Ｎ−オキシド、例えばポリ（４−ビニルピリジン−Ｎ−オキシド）、例えばＩＳＰ社のＣｈｒｏｍａｂｏｎｄ  Ｓ−４００、ポリビニルピロリドン、例えばＢＡＳＦ社のＳｏｋａｌａｎ（登録商標）ＨＰ５０、及びＮ−ビニルピロリドンとＮ−ビニルイミダゾール及び任意に他のモノマーとのコポリマーも考慮される。
【０１１４】
上記液状組成物は、染料定着剤も有効物質として含むことができ、例えばジエチレントリアミン、ジシアンジアミド及びアミド硫酸の反応、アミン類とエピクロロヒドリンとの反応、例えばジメチルアミノプロピルアミンとエピクロロヒドリンとの反応またはジメチルアミンとエピクロロヒドリンとの反応、あるいはジシアンジアミド、ホルムアルデヒド及び塩化アンモニウムの反応、あるいはジシアンジアミド、エチレンジアミン及びホルムアルデヒドの反応、あるいはシアナミドとアミン類及びホルムアルデヒドとの反応、あるいはポリアミン類とシアナミド類及びアミド硫酸との反応、あるいはシアナミド類とアルデヒド類及びアンモニウム塩との反応によって得られる染料定着剤、並びにポリアミン−Ｎ−オキシド、例えばポリ（４−ビニルピリジン−Ｎ−オキシド）、例えばＩＳＰ社のＣｈｒｏｍａｂｏｎｄ（登録商標）Ｓ−４００；  ポリビニルピロリドン、例えばＢＡＳＦ社のＳｏｋａｌａｎ（登録商標）ＨＰ５０、及びＮ−ビニルピロリドンとＮ−ビニルイミダゾール及び任意に他のモノマーとからなるコポリマーを含むことができる。
【０１１５】
上記液状組成物は、錯化剤、例えばアミノカルボキシレート類、例えばエチレンジアミンテトラアセテート、Ｎ−ヒドロキシエチルエチレンジアミントリアセテート、ニトリロトリアセテート、エチレンジアミンテトラプロピオネート、トリエチレンテトラアミンヘキサアセテート、ジエチレントリアミンペンタアセテート、シクロヘキサンジアミンテトラアセテート、ホスホネート、例えばアザシクロヘプタンジホスホネート，Ｎａ塩、ピロホスフェート、エチドロン酸（１−ヒドロキシエチリデン−１，１−ジホスホン酸、１−ヒドロキシエチアン−１，１−ジホスホン酸、アセトホスホン酸）及びこれらの塩、アミノホスホネート類、例えばエチレンジアミンテトラキス（メチレンホスホネート）、ジエチレントリアミンペンタキス（メチレンホスホネート）、アミントリメチレンホスホン酸、シクロデキストリン、並びに多官能性に置換された芳香族錯化剤、例えばジヒドロキシジスルホベンゼンまたはエチレンジアミンジスクシネート類を含むことができる。
【０１１６】
蛍光増白剤としては、環状炭化水素、例えばジスチリルベンゼン類、ジスチリルビフェニル類、ジフェニルスチルベン類、トリアジニルアミノスチルベン類、スチルベニル−２Ｈ−トリアゾール類、例えばスチルベンジル−２Ｈ−ナフトール［１，２−ｄ］トリアゾ−ル類及びビス（１，２，３−トリアゾ−ル−２−イル）スチルベン類、ベンゾキサゾール類、例えばスチルベニルベンゾキサゾール及びビス（ベンゾキサゾール）、フラン類、ベンゾフラン類及びベンズイミダゾール類、例えばビス（ベンゾ［ｂ］フラン−２−イル）ビフェニル及びカチオン性ベンズイミダゾール類、１，３−ジフェニル−２−ピラゾリン、クマリン、ナフタルイミド類、１，３，５−２−イル−誘導体、メチンシアニン及びジベンゾチオフェン−５，５−オキシドを使用することができる。
【０１１７】
好ましいものは、アニオン性蛍光増白剤、特にスルホン化された化合物である。
【０１１８】
更に、トリアジニルアミノスチルベン類、ジスチリルビフェニル類及びこれらの混合物、２−（４−スチリルフェニル）−２Ｈ−ナフト［１，２−ｄ］トリアゾール、４，４’−ビス−（１，２，３−トリアゾール−２−イル）スチルベン、アミノクマリン、４−メチル−７−エチルアミノクマリン、１，２−ビス（ベンズイミダゾール−２−イル）エチレン、１，３−ジフェニルフラゾリン、２，５−ビス（ベンゾオキサゾール−２−イル）チオフェン類、２−スチリル−ナフト［１，２−ｄ］オキサゾール、２−（４−スチリル−３−スルホフェニル）−２Ｈ−ナフト［１，２−ｄ］トリアゾール、及び２−（スチルベン−４−イル）−２Ｈ−ナフトール［１，２−ｄ］トリアゾールが考慮される。
【０１１９】
上記液状組成物が一種または二種以上の蛍光増白剤を含む場合には、これらは、好ましくは、それぞれ液状組成物の総質量を基準にして、好ましくは０．００１〜２重量％、特に好ましくは０．００２〜０．８重量％、特に好ましくは０．００３〜０．４重量％の量で該組成物中に含まれる。
【０１２０】
柔軟化成分としては、次のタイプの第四アンモニウム塩が使用できる。
【０１２１】
【化９】
2016517477.tif 000010
式中、
Ｒ１は、Ｃ８−Ｃ２４  ｎ−もしくはｉｓｏ−アルキル、好ましくはＣ１０−Ｃ１８  ｎ−アルキルであり、
Ｒ２は、Ｃ１〜Ｃ４アルキル、好ましくはメチルであり、
Ｒ３は、Ｒ１またはＲ２であり、
Ｒ４は、Ｒ２またはヒドロキシエチルもしくはヒドロキシプロピルもしくはこれらのオリゴマーであり、及び
Ｘ−は、臭素イオン、塩素イオン、ヨウ素イオン、メト硫酸イオン、酢酸イオン、プロピオン酸イオンまたは乳酸イオンである。
【０１２２】
これの例は、ジステアリルジメチルアンモニウムクロライド、ジタローアルキルジメチルアンモニウムクロライド、ジタローアルキルメチルヒドロキシプロピルアンモニウムクロライド、セチルトリメチルアンモニウムクロライドまたは対応するベンジル誘導体、例えばドデシルジメチルベンジルアンモニウムクロライドである。アルキルモルホリン誘導体などの環状第四アンモニウム塩も同様に使用することができる。
【０１２３】
更に、上記の第四アンモニウム化合物の他に、イミダゾリニウム化合物（１）及びイミダゾリン誘導体（２）を使用することができる。
【０１２４】
【化１０】
2016517477.tif 000011
式中、
Ｒは、Ｃ８−Ｃ２４  ｎ−もしくはｉｓｏ−アルキル、好ましくはＣ１０−Ｃ１８  ｎ−アルキルであり、
Ｘは、臭素イオン、塩素イオン、ヨウ素イオンまたはメト硫酸イオンであり、そして
Ａは、−ＮＨ−ＣＯ−、−ＣＯ−ＮＨ−、−Ｏ−ＣＯ−または−ＣＯ−Ｏ−である。
【０１２５】
特に好ましい化合物群は、いわゆるエステルクワット（Ｅｓｔｅｒｑｕａｔ）である。これは、アルカノールアミンと脂肪酸とを反応させ、次いでその生成物を通常のアルキル化剤またはヒドロキシアルキル化剤で四級化した反応生成物である。
【０１２６】
エステルクワットの例は、次式の化合物である：
【０１２７】
【化１１】
2016517477.tif 000012
式中、Ｒ−Ｃ−Ｏは、飽和または不飽和であることができるＣ８〜Ｃ２４脂肪酸から誘導される。インデックスｎは、０〜１０の範囲、好ましくは０〜３の範囲、特に好ましくは０〜１の範囲である。
【０１２８】
更に別の好ましい洗濯柔軟剤原材料は、例えばジアルキルトリアミン及び長鎖脂肪酸をベースとするアミドアミン類、並びにそれのオキシエチレートまたは四級化物である。これらの化合物は次の構造を有する：
【０１２９】
【化１２】
2016517477.tif 000013
式中、
Ｒ１及びＲ２は、互いに独立して、Ｃ８〜Ｃ２４  ｎ−もしくはｉｓｏ−アルキル、好ましくはＣ１０〜Ｃ１８  ｎ−アルキルを意味し、
Ａは、−ＣＯ−ＮＨ−または−ＮＨ−ＣＯ−を意味し、
ｎは、１〜３、好ましくは２を意味し、そして
ｍは、１〜５、好ましくは２〜４を意味する。
【０１３０】
第三アミノ基の四級化によって、Ｃ１〜Ｃ４アルキル、好ましくはメチルであることができるＲ３基、及び塩素イオン、臭素イオン、ヨウ素イオンまたはメチル硫酸イオンであることができる対イオンＸを追加的に導入することができる。アミドアミノエトキシレートまたはそれの四級化された転化生成物は、Ｖａｒｉｓｏｆｔ（登録商標）５１０、Ｖａｒｉｓｏｆｔ（登録商標）５１２、Ｒｅｗｏｐａｌ（登録商標）Ｖ３３４０及びＲｅｗｏｑｕａｔ（登録商標）Ｗ２２２ＬＭの商品名で提供されている。
【０１３１】
上記液状組成物は、好ましくは、染料及びフレグランスもしくは香料を含む。
【０１３２】
染料として好ましいものは、アシッドレッド１８（ＣＩ１６２５５）、アシッドレッド２６、アシッドレッド２７、アシッドレッド３３、アシッドレッド５１、アシッドレッド８７、アシッドレッド８８、アシッドレッド９２、アシッドレッド９５、
アシッドレッド２４９（ＣＩ）１８１３４、アシッドレッド５２（ＣＩ４５１００）、アシッドバイオレッド１２６、アシッドバイオレッド４８、アシッドバイオレッド５４、アシッドイエロー１、アシッドイエロー３（ＣＩ４７００５）、アシッドイエロー１１、アシッドイエロー２３（ＣＩ１９１４０）、アシッドイエロー３、ダイレクトブルー１９９（ＣＩ７４１９０）、ダイレクトイエロー２８（ＣＩ１９５５５）、フードブルー２（ＣＩ４２０９０）、フードブルー５：２（ＣＩ４２０５１：２）、フードレッド７（ＣＩ１６２５５）、フードイエロー１３（ＣＩ４７００５）、フードイエロー３（ＣＩ１５９８５）、フードイエロー４（ＣＩ１９１４０）、リアクティブグリーン１２、ソルベントグリーン７（ＣＩ５９０４０）である。
【０１３３】
特に好ましい染料は、水溶性酸性染料、例えばフードイエロー１３（アシッドイエロー３、ＣＩ４７００５）、フードイエロー４（アシッドイエロー２３、ＣＩ１９１４０）、フードレッド７（アシッドレッド１８、ＣＩ１６２５５）、フードブルー２（アシッドブルー９、ＣＩ４２０９０）、フードブルー５（アシッドブルー３、ＣＩ４２０５１）、アシッドレッド２４９（ＣＩ１８１３４）、アシッドレッド５２（ＣＩ４５１００）、アシッドバイオレッド１２６、アシッドバイオレッド４８、アシッドブルー８０（ＣＩ６１５８５）、アシッドブルー１８２、アシッドブルー１８２、アシッドグリーン２５（ＣＩ６１５７０）、アシッドグリーン８１である。
【０１３４】
同様に、水溶性ダイレクト染料、例えばダイレクトイエロー２８（ＣＩ１９５５５）、ダイレクトブルー１９９（ＣＩ７４１９０）、及び水溶性リアクティブ染料、例えばリアクティブグリーン１２、並びに次の染料フードイエロー３（ＣＩ１５９８５）、アシッドイエロー１８４も同様に好ましく使用することができる。
【０１３５】
次の顔料着色剤の水性分散液も同様に好ましく使用することができ、この際、溶液または分散液の着色に使用される着色剤分散液の濃度は、好ましくは０．１〜５０重量％の範囲、特に好ましくは１〜４５重量％の範囲、とりわけ好ましくは５〜４０重量％の範囲、非常に好ましくは１０〜３５重量％の範囲である。
【０１３６】
水性顔料分散液が、顔料の他に、分散剤、場合によっては及び更に別の助剤、例えば殺生物剤などを含むことは当業者には既知である。
【０１３７】
顔料着色剤には、ピグメントブラック７（ＣＩ７７２６６）、ピグメントブルー１５（ＣＩ７４１６０）、ピグメントブルー１５：１（ＣＩ７４１６０）、ピグメントブルー１５：３（ＣＩ７４１６０）、ピグメントグリーン７（ＣＩ７４２６０）、ピグメントオレンジ５、ピグメントレッド１１２（ＣＩ１２３７０）、ピグメントレッド１１２（ＣＩ１２３７０）、ピグメントレッド１２２（ＣＩ７３９１５）、ピグメントレッド１７９（ＣＩ７１１３０）、ピグメントレッド１８４（ＣＩ１２４８７）、ピグメントレッド１８８（ＣＩ１２４６７）、ピグメントレッド４（ＣＩ１２０８５）、ピグメントレッド５（ＣＩ１２４９０）、ピグメントレッド９、ピグメントバイオレット２３（ＣＩ５１３１９）、ピグメントイエロー１（ＣＩ１１６８０）、ピグメントイエロー１３（ＣＩ２１１００）、ピグメントイエロー１５４、ピグメントイエロー３（ＣＩ１１７１０）、ピグメントイエロー７４、ピグメントイエロー８３（ＣＩ２１１０８）、ピグメントイエロー９７などが考慮される。
【０１３８】
本発明の好ましい実施形態の一つでは、以下の顔料着色剤が分散物の形で使用される：ピグメントイエロー１（ＣＩ１１６８０）、ピグメントイエロー３（ＣＩ１１７１０）、ピグメントレッド１１２（ＣＩ１２３７０）、ピグメントレッド５（ＣＩ１２４９０）、ピグメントレッド１８１（ＣＩ７３３６０）、ピグメントバイオレット２３（ＣＩ５１３１９）、ピグメントブルー１５：１（ＣＩ７４１６０）、ピグメントグリーン７（ＣＩ７４２６０）、ピグメントブラック７（ＣＩ７７２６６）。
【０１３９】
他の好ましい本発明の実施形態の一つでは、水溶性ポリマー染料、例えばリキティント（登録商標）、リキティントブルーＨＰ（登録商標）、リキティントブルー６５（登録商標）、リキティントパテントブルー（登録商標）、リキティントローヤルブルー（登録商標）、リキティントエクスペリメンタルイエロー８９４９−４３（登録商標）、リキティントグリーンＨＭＣ（登録商標）、リキティントイエローＩＩ（登録商標）及びこれらの混合物が使用される。
【０１４０】
フレグランスまたは香料としては、個々の匂い化合物、例えばエステル、エーテル、アルデヒド、ケトン、アルコール及び炭化水素のタイプの合成生成物を使用できる。エステルのタイプの匂い化合物は、例えばベンジルアセテート、フェノキシエチルイソブチレート、ｐ−ｔｅｒｔ．−ブチルシクロヘキシルアセテート、リナリルアセテート、ジメチルベンジルカルビニルアセテート、フェニルエチルアセテート、リナリルベンゾエート、ベンジルホルミエート、エチル−メチルフェニルグリシネート、アリルシクロヘキシルプロピオネート、スチラリルプロピオネート及びベンジルサリチレートである。エーテルには、例えばベンジルエチルエーテルが、アルデヒドには、例えば炭素原子数８〜１８の線状アルカナール、シトラール、シトロネラール、シトロネリルオキシアセトアルデヒド、ヒドロキシシトロネラール、リリアール及びブルゲオナールが、ケトンには、例えばアイオノン、アルファ−イソメチルアイオノン及びメチル−セドリルケトンが、アルコールには、アネトール、シトロネロール、オイゲノール、ゲラニオン、リナロール、フェニルエチルアルコール及びテルピネオールが、炭化水素には主にテルペン類及びバルサム類が挙げられる。好ましくは、一緒になって心地良い香気を生む様々な匂い物質の混合物が使用される。
【０１４１】
香油は、植物性または動物性の源から得ることができるような天然の匂い物質混合物、例えばパイン油、シトラス油、ジャスミン油、ユリ油、バラ油、またはイランイラン油も含むことができる。大概の場合に芳香成分として使用される揮発性が比較的低いエーテル油も香油として適しており、例えばセージ油、カモミール油、チョウジ油、メリッサ油、ハッカ油、シナモンリーフ油、リンデンブロッサム油、及びジュニパーベリー油などがある。
【０１４２】
好ましくは、上記のフレグランス及び香油の溶液またはエマルションが使用され、これらは通例の方法で製造することができる。
【０１４３】
乳化剤としては、０〜３０モルのアルキレンオキシド、特にエチレンオキシド、プロピレンオキシド及び／またはブチレンオキシドを、炭素原子数８〜２２の線状もしくは分枝状で飽和もしくは不飽和の脂肪アルコール、炭素原子数１２〜２２の脂肪酸、アルキル基中の炭素原子数が８〜１５のアルキルフェノール及びソルビタンエステルに付加した付加生成物；
０〜３０モルのエチレンオキシドをグリセリンに付加した（Ｃ１２〜Ｃ１８）脂肪酸モノ及びジエステル；
炭素原子数６〜２２の飽和もしくは不飽和脂肪酸及び場合によりそれらのエチレンオキシド付加生成物のグリセリンモノ−及びジエステル並びにソルビタンモノ−及びジエステル；
ヒマシ油及び／または硬化ヒマシ油に５〜６０モル、好ましくは１５〜６０モルのエチレンオキシドを付加した付加生成物；
ポリオールエステル、特にポリグリセリンエステル、例えばポリグリセリンポリリシノレエート及びポリグリセリンポリ−１２−ヒドロキシステアレート、
が考慮される。
【０１４４】
更に、例えばエトキシル化及び非エトキシル化モノ−、ジ−もしくはトリ−リン酸エステルなどのアニオン性乳化剤、並びにモノ−、ジ−もしくはトリ−アルキルクワット（Ａｌｋｙｌｑｕａｔ）及びそれらのポリマー性誘導体などのカチオン性乳化剤も使用することができる。
【０１４５】
同様に、上記の物質群の複数からの化合物の混合物も適している。
【０１４６】
ハイドロトロープとしては、カリウム塩またはナトリウム塩またはこれらの混合物の形のキシレンスルホネート、トルエンスルホネート及びクメンスルホネートが適している。
【０１４７】
本発明の好ましい実施形態の一つでは、上記液状組成物は、一種または二種以上のハイドロトロープをそれぞれ該液状組成物の総質量を基準にして、１〜１０重量％、好ましくは１〜６重量％、特に好ましくは２〜５重量％の量で含む。
【０１４８】
好ましい有機溶媒は、一価または多価アルコールまたはグリコールエーテルから由来するものである。好ましくは、溶媒は、エタノール、ｎ−もしくはｉ−プロパノール、ブタノール、グリコール、プロパンジオールもしくはブタンジオール、グリセリン、ジグリコール、プロピルジグリコールもしくはブチルジグリコール、へキシレングリコール、エチレングリコールメチルエーテル、エチレングリコールエチルエーテル、エチレングリコールプロピルエーテル、エチレングリコールモノ−ｎ−ブチルエーテル、ジエチレングリコールメチルエーテル、ジ−エチレングリコールエチルエーテル、プロピレングルコールメチル−、−エチル−もしくは−プロピルエーテル、ジプロピレングリコールメチル−もしくは−エチルエーテル、メトキシ−、エトキシ−もしくはブトキシトリグリコール、１−ブトキシエトキシ−２−プロパノール、３−メチル−３−メトキシブタノール、プロピレン−グリコール−ｔ−ブチルエーテル、ポリグリコール、好ましくはポリエチレングリコール、並びにこれらの溶媒の混合物から選択される。
【０１４９】
更に、上記液状組成物は水を含む。
【０１５０】
本発明の他の好ましい実施形態の一つでは、液状組成物中の水の量は、それぞれ液状組成物の総重量を基準にして、１０〜６０重量％、好ましくは１０〜４０重量％、特に好ましくは１０〜２０重量％である。
【０１５１】
本発明の他の好ましい実施形態の一つでは、液状組成物中の水の量は、それぞれ液状組成物の総重量を基準にして、１０重量％未満、好ましくは８重量％未満、特に好ましくは６重量％未満、とりわけ好ましくは５重量％未満である。この際、水の最小量は、液状組成物の総重量を基準にして好ましくは３重量％である。
【０１５２】
好ましい液状組成物は、７〜１１、好ましくは７．５〜１０、特に好ましくは７．５〜９のｐＨ値を有する。
【０１５３】
しかし、液状組成物の総重量を基準にして４０重量％未満の含水率を有する液状組成物のｐＨ値は、この液状組成物そのものについては測定できないことは当業者には既知である。含水率が４０重量％未満の液状組成物のためには、この液状組成物の１重量％濃度水溶液を調製し、そしてそれからｐＨ値を通例の方法で測定する。
【０１５４】
それ故、上記のｐＨ値は、（液状組成物の総重量を基準にして）含水率が４０重量％以上の液状組成物の場合は直接、または（液状組成物の総重量を基準にして）含水率が４０重量％未満の液状組成物の場合は、この液状組成物の１重量％濃度水溶液に当てはまる。
【０１５５】
本発明による方法は、好ましくは、酵素に敏感でかつ漂白可能な汚れに対して繊維材料を洗濯及び洗浄するために使用される。
【０１５６】
洗濯液は、好ましくは、８．０〜１１．０、特に好ましくは８．０〜１０．５、とりわけ好ましくは８．５〜１０．０のｐＨ値を有する。洗濯液のｐＨ値は、洗浄アルカリ、例えば炭酸ナトリウムによって高めることができる。
【０１５７】
洗濯温度は、好ましくは２０〜８０℃、特に好ましくは３０〜６０℃、とりわけ好ましくは４０〜６０℃である。
【０１５８】
好ましくは、本発明による方法は、自動洗濯機中で行われる。
【０１５９】
以下の例は、本発明を説明するものであるが、本発明はこれらの例に限定されない。全ての百分率の値は、他に明記していなければ、重量％と理解されたい。
【実施例】
【０１６０】
以下の例部で使用する「液状洗濯洗剤」という用語は、本発明による方法に関して使用する「液状組成物」という用語に相当する。
【０１６１】
以下の液状洗濯洗剤を用いた洗濯試験を行った。
【０１６２】
【表１】
2016517477.tif 000014
【０１６３】
洗濯試験を以下の条件で行った。
【０１６４】
【表２】
2016517477.tif 000015
【０１６５】
各々の洗濯サイクルにつき、４０ｇの液状洗濯洗剤ＡＲＩＥＬ  Ｅｘｃｅｌ  Ｇｅｌと、それぞれ２ｇのＴＡＥＤと４ｇの過炭酸ナトリウムとの混合物を使用した。洗濯液のｐＨ値を所定の値に調節するために、ＴＡＥＤと過炭酸ナトリウムとの混合物と一緒に、炭酸ナトリウム（Ｎａ２ＣＯ３）を以下の量で加えた。
【０１６６】
【表３】
2016517477.tif 000016
【０１６７】
ＴＡＥＤと過炭酸ナトリウムからなる混合物、並びに場合によってはＮａ２ＣＯ３の添加は、時点０（洗濯液中への液状洗濯洗剤の計量添加と同時）で、または洗濯液中に液状洗濯洗剤を計量添加してから１５分間、３０分間もしくは４５分間遅らせて行った。
【０１６８】
未洗浄の木綿繊維材料または木綿（ＣＯ）／ポリエステル（ＰＥ）混布に対する洗浄したこれらの材料及び混布の反射率の差ΔＲ４５７ｎｍを測定した。測定した汚染繊維材料は商業的に入手できる。以下の１６種の繊維材料／汚れを測定した。
【０１６９】
【表４】
2016517477.tif 000017
【０１７０】
以下の表Ｉには、ＴＡＥＤと過炭酸ナトリウムとの混合物を同時にまたは遅らせて添加した時の及び洗濯液のアルカリ度を変えた時の（ｐＨ８．５、９．０及び９．５）、１６種全ての汚れについての測定された反射率値の差ΔＲ４５７ｎｍの纏めを記載する。
【０１７１】
【表５】
2016517477.tif 000018
【０１７２】
上記の測定結果は、液状洗濯洗剤を洗濯液に添加した後に１５〜３０分間空けてから漂白剤を計量添加した場合に最適な洗濯結果が達成されることを示している。
【国際調査報告】
2016517477.tif 000019
2016517477.tif 000020
2016517477.tif 000021
2016517477.tif 000022